(57)【要約】【課題】オーバーヘッドコンソールの内部への虫の侵入を防止してレンズ部の見栄えを維持し、機能不具合を防止する。【解決手段】車室の天井に設置され、ケース内部に防犯用の侵入センサ２や照明等の電気的基板４を組み付けた車室用天井装着部品において、前記ケースを、天然有機化合物トリペルテンの成分である、アザディラクチン、メリアントリオール、サラニンのいずれか１つもしくは複数の虫除け効果のある成分を含有させた樹脂材料からなるものとすることにより、前記ケースのパネル３と侵入センサ２の隙間Ｐ部や、カバー１と光源５の隙間Ｑ部から虫が入ってこないようにし、レンズ部の見栄えを維持し、虫が接触することによる基板４のショート等の機能不具合を防止する。【選択図】図２
2009184556.tif 000002
【特許請求の範囲】
【請求項１】
ケースの内部に電気部品を組み付けて車室の天井に設置してなる車室用天井装着部品において、
前記ケースに虫が入ってこないようにするための虫除け手段を設けた
ことを特徴とする車室用天井装着部品。
【請求項２】
前記ケースは樹脂材料からなり、当該樹脂材料に虫除け効果のある成分を混ぜていることを特徴とする、請求項１に記載の車室用天井装着部品。
【請求項３】
前記虫除け効果のある成分は、天然有機化合物トリペルテンの成分である、アザディラクチン、メリアントリオール、サラニンのいずれか１つもしくは複数を含有したものであることを特徴とする、請求項１または２に記載の車室用天井装着部品。
【請求項４】
前記ケースは車室側の部材と天井側の部材にて構成されており、該天井側の部材に前記成分を混ぜていることを特徴とする、請求項１ないし３のいずれかに記載の車室用天井装着部品。
【請求項５】
前記虫除け成分を前記ケースに吹き付けてなることを特徴とする、請求項１に記載の車室用天井装着部品。
【発明の詳細な説明】
【技術分野】
【０００１】
本発明は、車室に設置され、ケース内部に防犯用侵入センサや照明等の電気部品を組み付けた天井装着部品に関し、特にケース内部への虫の侵入を防止する手段を設けた車室用天井装着部品に関する。
【背景技術】
【０００２】
従来、車両の左右のピラーから、もしくはムーンルーフの開閉時などに虫が天井内部へ入り込むことがあり、その結果天井に設けられたオーバーヘッドコンソール（以下「ＯＨＣ」と記す）に裏側(天井側）から虫が侵入し、基板等に触れることによりショートして不具合等が起きることがあった。またその場合、照明のレンズ等から内部に侵入した虫が車室側から見えることとなり、意匠上も好ましくなかった。
【０００３】
従来のＯＨＣの構成の一例を図５〜図７に示す。カバー１’、侵入センサ２’、基板４’及び小物入れ７’がパネル３’にビスで固定されており、レンズ６’がパネル３’と爪で固定されている。さらに、室内灯の光源５’は基板４’に固定されている。このような構成により、ＯＨＣは照明装置や盗難防止用の侵入センサ等の収納スペースとして、また、眼鏡等を入れておく小物入れとして多目的に使用される。
【０００４】
しかし、従来のＯＨＣには以下の欠点があった。すなわち、ＯＨＣの裏側にカバー１’はついているものの、このカバー１’が虫除け対策になっていない点である。このため、虫がレンズ部（図６、７の基板４とレンズ６の間の空間）に入ってしまうと車室側からそれが見えるため見栄えが悪くなっていた。
【０００５】
この虫が侵入してしまう原因として考えられるのは、侵入センサ２’とパネル３’の隙（図６、７のＰ’部）が大きく開いており、虫が入り易くなっている点である。Ｐ’部の隙間から虫が入ることで、侵入センサ２’の誤動作等の機能不具合になることもあった。
【０００６】
また、基板４’に光源５’の放熱孔などの開口部があり、その隙間のＱ’部から虫が上記レンズ部に到達することも原因の一つである。そのため見栄えが悪くなったり、また、虫が基板４’に触れることにより、ショートなどの電気系の不具合を引き起こしたりした例もあった。従来のＯＨＣの一例の構成について述べたが、Ｐ’部またはＱ’部と同様の隙間は従来のＯＨＣの多くにおいて見られ、虫の侵入防止への対策が問題となっている。
【０００７】
特許文献１には自動車用の防虫装置の発明が記載されており、特許文献２、３には防虫材料の発明が記載されている。また、非特許文献１には防虫成分を有する植物について記載されている。
【０００８】
【特許文献１】特開２００５−１５３６３１号公報
【特許文献２】特開平５−２４６８０１号公報
【特許文献３】特開２００６−３２５５６４号公報
【非特許文献１】Eugene B. Shultz 著「ニームの木は地球を救う」National Research Council,抄訳「環境農業新聞」（平成17年1月15日、3月15日）
【発明の開示】
【発明が解決しようとする課題】
【０００９】
しかしながら、特許文献１の防虫装置では構成が複雑化する、部品点数が増えてしまうといった問題点がある。また特許文献２、３の防虫材料の発明は、本発明とは構成において異なるものである。
本発明は上述の問題を解決して、虫を上記ケースの内部に入れないことによりレンズ部の見栄えを維持し、機能不具合を防止できる車室用天井装着部品を提供することを課題とする。
【課題を解決するための手段】
【００１０】
上記課題を解決するために、請求項１の発明は、ケースの内部に電気部品を組み付けて車室の天井に設置してなる車室用天井装着部品において、前記ケースに虫が入ってこないようにするための虫除け手段を設けたことを特徴とする。これにより、前記ケース内への虫の侵入を防止でき、基板に虫が触れてショートするおそれを回避することができる。
請求項２の発明は、さらに、前記ケースは樹脂材料からなり、当該樹脂材料に虫除け効果のある成分を混ぜていることを特徴とする。これにより、前記ケースへの虫の接近を妨げることで上記不具合の発生を防止できる。
請求項３の発明は、さらに、前記虫除け効果のある成分は、天然有機化合物トリペルテンの成分である、アザディラクチン、メリアントリオール、サラニンのいずれか１つもしくは複数を含有したものであることを特徴とする。これにより、虫除け効果のある植物のニームの化合物から抽出した成分を含んでいるため、前記ケースに虫が寄ってこなくなる。
請求項４の発明は、さらに、前記ケースは車室側の部材と天井側の部材にて構成されており、該天井側の部材に前記成分を混ぜていることを特徴とする。これにより、天井側の部材は意匠面と関係のない裏側部分であるため、上記成分を混ぜることによる車室側の部材の成形上の色ムラ等の不具合を心配する必要がなくなる。
請求項５の発明は、前記虫除け成分を前記ケースに吹き付けてなることを特徴とする。これにより、より簡易な方法で虫除け効果を得ることができる車室用天井装着部品とすることができる。
【発明の効果】
【００１１】
以上説明したように、本発明により、虫のＯＨＣの内部への侵入を阻止してレンズ部の見栄えを維持し、機能不具合を防止する車室用天井装着部品が提供される。
【発明を実施するための最良の形態】
【００１２】
以下に、本発明の実施の形態について図１〜図４を用いて説明する。
本実施形態のＯＨＣのケースは樹脂製のパネル３とカバー１とで構成されている。パネル３は表面（車室側）のレンズ６と小物入れ７以外の部分と、裏面（天井側）の一部を覆っており、カバー１は裏面のみに設けられている。
【００１３】
カバー１、侵入センサ２、基板４及び小物入れ７がパネル３にビスで固定されており、レンズ６がパネル３と爪で固定されている。さらに、室内灯の光源５は基板４に固定されている。
【００１４】
Ｐ部はパネル３と侵入センサ２の周りの隙間であり、侵入センサ２をパネル３へと組み付ける際の寸法のバラツキを吸収するために設けられている。また、Ｑ部は光源５の熱を逃がすための基板４の放熱孔である。
【００１５】
第一の実施形態においては、ＯＨＣのケースの全て、すなわち樹脂製のパネル３及びカバー１を虫の嫌いな成分を練り込んだ樹脂にて成形し、虫をＯＨＣ自体に寄せ付けなくする。
具体的には、上記樹脂製のパネル３及びカバー１を植物のニームに含まれる「トリペルテン」という天然有機化合物の成分であり、虫の嫌いな成分であるアザディラクチン、メリアントリオール、サラニンのいずれか一つもしくは複数を練り込んで成形する。
【００１６】
上記樹脂部品が防虫性能を発揮するため、Ｑ部から虫がレンズ部（図２の基板４とレンズ６の間の空間）に侵入するのを防止し、レンズ部の見栄えを維持することができ、虫が基板４に触れることによるショートなどの電気系の不具合を防止することができる。
また、Ｐ部から虫が侵入するのを防止し、虫による侵入センサ２の誤動作を防止することができる。
【００１７】
第二の実施形態は、ＯＨＣのケースの内、意匠とは関係のないカバー１のみに上記トリぺルテンの成分を練り込んだ樹脂を使用し、パネル３については従来の樹脂にて成形するものである。
【００１８】
これは、車室に向けられる表側の意匠面を含むパネル３については、これに防虫成分を含有させると成形上の色ムラ等の不具合といった意匠上の問題を引き起こす可能性があるため、これに対応する実施形態として、意匠面でない裏面のみを覆うカバー１のみを防虫成分を含有させた樹脂としたものである。
【００１９】
上記構成とすることにより、防虫ネットなどの特別な部品を付加することなく、従来どおりの形状のＯＨＣにて虫のＯＨＣ内への侵入を防止することができ、防虫部品を付加する等の設計変更を伴う方式に較べてコスト低減を実現することができる。
【００２０】
従来、上記構成のＯＨＣがなかったのは、防虫性能への信頼性の問題や、ネット設置等の他方式にてある程度の効果のあったこと、あるいは、自動車用の車室用部品の材料だけでなく、部品の材料そのものに防虫成分を含有させる方式が一般的でないことや、光源部の放冷用の穴をカバー等で塞ぐと熱がこもってしまうといったＯＨＣの構成上の問題により、防虫は冷却効率との関係で断念せざるを得ない、あるいはネット等で塞ぐしかないとの考えが支配していたことが原因として考えられる。防虫の必要性への過小評価も原因のひとつとなっていたかもしれない。ともあれ、従来上記構成のような防虫成分を含有させた材料を用いた天井装置は使用されてこなかった。
発明者らが上記構成に想到したのは、部品点数を減らすというニーズを最優先にして防虫効果を追究した結果である。
【００２１】
また他の実施形態として、ＯＨＣのカバー等の部品として上記防虫成分を含有させた材料を用いるのではなく、ＯＨＣの意匠面の裏側にある従来のカバー等に上記防虫成分を吹きかける態様としても従来のＯＨＣに設計変更を施すことなく、上記と同様の防虫効果を得ることができる。
【００２２】
さらに別の実施形態として、ＯＨＣの意匠面の裏側に防虫用のマット（またはスポンジ）を設置する方式がある。防虫用のマットとしては、上記防虫成分を含有させたマットを用いる。この防虫用のマットをＯＨＣの意匠面の裏側の上記隙間Ｐ、Ｑ部の近傍に取り付けることで、従来のＯＨＣに大きな設計変更を施すことなく、上記と同様の防虫効果を得ることができる。
【００２３】
また、上記マットをネット状に加工したものをＯＨＣの意匠面の裏側の上記隙間Ｐ、Ｑ部に貼り付ける方式としてもよい。ネット状とすることで、ＯＨＣの意匠面の裏側における通気性を損なうことなく上記と同様の防虫効果を得ることができる。
【図面の簡単な説明】
【００２４】
【図１】本発明のＯＨＣの一実施例を示す図であり、（ａ）は裏面図、（ｂ）は側面図、（ｃ）は正面図である。
【図２】図１のＡ−Ａ断面図である。
【図３】図１のＢ−Ｂ断面図である。
【図４】本実施例のカバーを示す図面であり、（ａ）は正面図、（ｂ）は右側面図である。
【図５】従来のＯＨＣの一例を示す図であり、（ａ）は裏面図、（ｂ）は側面図、（ｃ）は正面図である。
【図６】図５のＣ−Ｃ断面図である。
【図７】図５のＤ−Ｄ断面図である。
【符号の説明】
【００２５】
１    カバー
２    侵入センサ
３    パネル
４    基板
５    光源
６    レンズ
７    小物入れ
【図１】
2009184556.tif 000003
【図２】
2009184556.tif 000004
【図３】
2009184556.tif 000005
【図４】
2009184556.tif 000006
【図５】
2009184556.tif 000007
【図６】
2009184556.tif 000008
【図７】
2009184556.tif 000009